(57)【要約】【課題】タイヤ全体としての最適な設計諸元を効率的に得ることができ、より良い性能を持つタイヤの設計を可能にする。【解決手段】タイヤＦＥＭモデルを用いて、トレッドパターン形状を固定しながら、目的関数を最適化するタイヤ構造の最適解を求めるステップ（ｂ）と、タイヤ構造を固定しながら、前記目的関数を最適化するトレッドパターン形状の最適解を求める最適化計算を行うステップとを含む。ステップ（ｂ）では直前のステップ（ｃ）で最適化されたトレッドパターン形状を持つタイヤモデルを用いてタイヤ構造についての最適化計算を行い、ステップ（ｃ）では直前のステップ（ｂ）で最適化されたタイヤ構造を持つタイヤモデルを用いてトレッドパターン形状についての最適化計算を行うようにして、これらステップ（ｂ）とステップ（ｃ）で得られた最適解が収束するまで上記ステップを繰り返す。【選択図】図１
2008302827.tif 000002
【特許請求の範囲】
【請求項１】
（ａ）タイヤ性能に関する目的関数を定めるステップと、
（ｂ）タイヤを複数の要素に分割したタイヤモデルを用いて、トレッドパターン形状を固定しながら、前記目的関数を最適化するタイヤ構造の最適解を求める最適化計算を行うステップと、
（ｃ）タイヤを複数の要素に分割したタイヤモデルを用いて、タイヤ構造を固定しながら、前記目的関数を最適化するトレッドパターン形状の最適解を求める最適化計算を行うステップと、
を含み、
前記ステップ（ｂ）では直前のステップ（ｃ）で最適化されたトレッドパターン形状を持つタイヤモデルを用いてタイヤ構造についての最適化計算を行い、前記ステップ（ｃ）では直前のステップ（ｂ）で最適化されたタイヤ構造を持つタイヤモデルを用いてトレッドパターン形状についての最適化計算を行い、前記ステップ（ｂ）とステップ（ｃ）で得られた最適解に基づいて収束判定し、収束するまで前記ステップ（ｂ）とステップ（ｃ）の最適化計算を繰り返す、タイヤの設計方法。
【請求項２】
前記ステップ（ｃ）の最適化計算がＥＣＡＴ法を用いた最適化計算である請求項１記載のタイヤの設計方法。
【請求項３】
前記ステップ（ｃ）は、
（ｃ１）トレッドパターン形状の初期レイアウトの１ピッチ単位をタイヤ周方向に複数ピッチ展開したタイヤについて複数の要素に分割したタイヤモデルを作成するステップと、
（ｃ２）前記初期レイアウトのタイヤモデルを用いて構造解析により各要素について評価指標を算出するステップと、
（ｃ３）算出した評価指標を対応する要素毎に１ピッチ単位に集約し、集約した前記評価指標の大小によって前記要素をクラス分けして、除去対象要素の属する複数のクラスを決定し、決定した各クラスの中から除去する要素を選定するステップと、
（ｃ４）前記で除去した要素の中から復活する要素を選定するステップと、
（ｃ５）前記ステップ（ｃ３）及び（ｃ４）における要素の除去と復活により現世代のレイアウトを得て、該レイアウトの１ピッチ単位をタイヤ周方向に複数ピッチ展開したタイヤモデルを作成するステップと、
（ｃ６）前記現世代のレイアウトのタイヤモデルを用いて構造解析により各要素について評価指標を算出するステップと、
（ｃ７）算出した評価指数から前記目的関数の収束性を判定して、収束していないと判定したときにはレイアウトを前記現世代のレイアウトに更新して前記ステップ（ｃ３）に戻り、収束したと判定したときには前記現世代のレイアウトをトレッドパターン形状の最適解として決定するステップと、
を含む請求項２記載のタイヤの設計方法。
【請求項４】
前記ステップ（ｃ）の最適化計算が基底ベクトル法を用いた最適化計算である請求項１記載のタイヤの設計方法。
【請求項５】
前記ステップ（ｃ）は、
（ｃ１０）トレッドパターンの少なくとも一部についてのオリジナル形状のモデルに基づき、該モデルと節点数および要素結合情報が同一でかつ節点座標値の異なる複数のベース形状のモデルを作成するステップと、
（ｃ１１）前記オリジナル形状の節点座標値を成分とするベクトルと前記ベース形状の節点座標値を成分とするベクトルからベーシスベクトルを定義して、各ベーシスベクトルの線形結合により最適化用モデルの各節点座標値を成分とするベクトルを定義し、前記線形結合の重み係数を設計変数に設定するステップと、
（ｃ１２）前記最適化用モデルのベクトルと前記ベーシスベクトルとの関係式に基づいて、前記目的関数を最適化する前記設計変数の値を求めることで、トレッドパターンの少なくとも一部の前記形状の最適解を求めるステップと、
を含む請求項４記載のタイヤの設計方法。
【請求項６】
前記ステップ（ｃ）は、（ｃ２１）ＥＣＡＴ法を用いてトレッドパターン形状の最適化計算を行うステップと、（ｃ２２）基底ベクトル法を用いてトレッドパターン形状の最適化計算を行うステップと、を含み、前記ステップ（ｃ２１）と（ｃ２２）はいずれか一方のステップを先行して実施し、いずれか他方のステップを実施する際に、前記一方のステップにおいて最適化されたトレッドパターン形状を初期形状として最適化計算を行う、請求項２記載のタイヤの設計方法。
【発明の詳細な説明】
【技術分野】
【０００１】
本発明は、タイヤの設計方法に関するものである。
【背景技術】
【０００２】
従来、空気入りタイヤを設計する場合、要求性能を満たす設計案を従前の知見、経験及び設計制約に基づいて設計し、その確認のための１つの手段として、構造解析を用いて要求性能を満たしているか否かの確認を行う。この段階で要求性能を満たしていない場合、設計の修正を行い、再度構造解析により確認を行う。このプロセスを要求性能が満たされるまで、繰り返し行い、設計案を確定している。
【０００３】
かかる従来の設計方法では、設計制約に基づく範囲の中で確定した設計案が、最適値であるか否かの保証はない。また、設計、構造解析及び再設計の繰り返しプロセスを行うため、設計に要する時間が膨大になることがある。そこで、効率的な設計を可能にするため、最適化計算によりタイヤを最適化する手法が種々提案されている（下記特許文献１〜４参照）。
【０００４】
ところで、これまで、空気入りタイヤにおいて、内部構造を含むタイヤ断面形状やタイヤ部品の材料特性などのタイヤ構造と、トレッド面に形成するトレッドパターン形状とに対するタイヤ特性との関係は、定量的に把握されていない。そのため、空気入りタイヤを設計する場合、一般に、タイヤ構造を確定した上で、トレッドパターン形状の設計を行っている。すなわち、タイヤ構造とトレッドパターン形状とはそれぞれ個別に最適化されている。そのため、タイヤ構造とトレッドパターン形状の最適な組合せを考慮することはなされていなった。
【０００５】
なお、特許文献１には、最適化計算を行う際の設計変数として、カーカスラインなどのライン形状を表す関数と、ビードフィラーのゲージ分布などのタイヤゴム部材のゲージ分布を表す変数と、各ベルト層の角度などのベルト部の構造を表す変数とともに、ブロック形状などのパターン形状を表す変数が列挙され、これらの少なくとも１つを設計変数として含むことが記載されている。しかしながら、この文献では、タイヤ構造に関する変数とトレッドパターン形状に関する変数とを同時に設計変数として使用することは具体的に開示されていない。また、仮にタイヤ構造に関する変数とトレッドパターン形状に関する変数を同時に設計変数とすることが示唆されているとしても、両者を同時に設計変数として最適化するようないわゆる強連成の最適化では、一般に計算コストが大きく、必ずしも効率的な設計を行うことができない。
【特許文献１】国際公開第９４／１６８７７号パンフレット
【特許文献２】国際公開第９８／２９２６９号パンフレット
【特許文献３】国際公開第９８／２９２７０号パンフレット
【特許文献４】特開２００５−００８０１１号公報
【発明の開示】
【発明が解決しようとする課題】
【０００６】
本発明は、以上の点に鑑みてなされたものであり、タイヤ構造の最適化とトレッドパターン形状の最適化を連成されて行うことで、タイヤ全体としての最適な設計諸元を効率的に得ることができ、より良い性能を持つタイヤの設計を可能にする設計方法を提供することを目的とする。
【課題を解決するための手段】
【０００７】
本発明に係るタイヤの設計方法は、
（ａ）タイヤ性能に関する目的関数を定めるステップと、
（ｂ）タイヤを複数の要素に分割したタイヤモデルを用いて、トレッドパターン形状を固定しながら、前記目的関数を最適化するタイヤ構造の最適解を求める最適化計算を行うステップと、
（ｃ）タイヤを複数の要素に分割したタイヤモデルを用いて、タイヤ構造を固定しながら、前記目的関数を最適化するトレッドパターン形状の最適解を求める最適化計算を行うステップと、を含むものであり、
前記ステップ（ｂ）では直前のステップ（ｃ）で最適化されたトレッドパターン形状を持つタイヤモデルを用いてタイヤ構造についての最適化計算を行い、前記ステップ（ｃ）では直前のステップ（ｂ）で最適化されたタイヤ構造を持つタイヤモデルを用いてトレッドパターン形状についての最適化計算を行い、前記ステップ（ｂ）とステップ（ｃ）で得られた最適解に基づいて収束判定し、収束するまで前記ステップ（ｂ）とステップ（ｃ）の最適化計算を繰り返すものである。
【０００８】
本発明においてタイヤ構造とは、タイヤの内部構造を含むタイヤ断面形状やタイヤ部品の材料特性などのように、トレッド面に形成するトレッドパターン形状以外の設計対象となりうる空気入りタイヤの構造をいう。かかるタイヤ構造としては、例えば、タイヤ断面幅、トレッド幅、クラウン半径、サイド部半径などのタイヤ断面の外形形状（即ち、モールド形状）、トレッドゴムやサイドウォールゴムなどのゴム部材のヤングモジュラス、カーカスプライやベルトなどの補強部材の材料物性などのタイヤを構成する各部品の材料特性、ならびにこれらタイヤ部品の寸法、角度、密度、配置（上記補強部材におけるコードのエンド数や角度も含まれる。）などが挙げられる。
【発明の効果】
【０００９】
本発明は、ステップ（ｂ）によるタイヤ構造の最適化と、ステップ（ｃ）によるトレッドパターン形状の最適化とを、上記のように弱連成させて行うものであり、弱連成させることにより、計算コストを抑えながら、タイヤ構造とトレッドパターン形状の最適解を得ることができる。そのため、タイヤ全体としての最適な設計諸元を効率的に得ることができ、より良い性能を持つタイヤを設計することができる。
【発明を実施するための最良の形態】
【００１０】
以下、本発明の実施形態について図面を参照して説明する。
【００１１】
（第１の実施形態）
図１は、第１の実施形態に係る空気入りタイヤの設計方法の流れを示すフローチャートである。本実施形態は、タイヤ構造の最適化と、ＥＣＡＴ法によるタイヤトレッドパターンの位相と形状の最適化を弱連成させて行う設計方法に関するものであり、コンピュータを用いて実施することができる。
【００１２】
より詳細には、下記のステップをコンピュータに実行させるためのプログラムを作成しておき、このプログラムをハードディスクなどに格納（インストール）したパソコンなどのコンピュータを用いることにより、本実施形態の設計方法を実施することができる。すなわち、ハードディスクに保存されたプログラムは、実行する際に適宜ＲＡＭに読み込まれ、キーボードなどの入力手段から入力された種々のデータを用いて、ＣＰＵにより演算を行い、モニターなどの表示手段により結果が表示される。なお、このようなプログラムは、ＣＤ−ＲＯＭ、ＤＶＤ、ＭＤ、ＭＯなどのコンピュータ読み取り可能な各種記録媒体に記憶させることができるので、そのような記録媒体のためのドライブ装置をコンピュータに設けておき、該ドライブ装置を介してプログラムを実行するようにしてもよい。
【００１３】
本実施形態の設計方法においては、まず、ステップＳ１０において、タイヤ性能に関する目的関数を定めるとともに、タイヤ構造とトレッドパターン形状の初期値、設計変数、制約条件などの最適化計算に必要な各種条件を設定する。
【００１４】
上記目的関数としては、タイヤ構造とトレッドパターン形状によりその値が変化する物理量が挙げられる。例えば、制動時や加速時などのタイヤの接地圧分散、タイヤの平均接地圧、応力、ひずみ、ひずみエネルギー、摩擦エネルギー、路面の滑り速度および変位などが挙げられる。一例として、目的関数をタイヤの接地圧分散とし、これを最小化する最適化問題を定義する。
【００１５】
トレッドパターン形状の初期値である１ピッチ単位の初期レイアウトとしては、トレッドに溝が全く無いものや、トレッドに周方向に延びる主溝のみを備えるもの、主溝と該主溝に交差する方向に延びる横溝とを持つもの、更には、主溝と横溝により区画されるブロックを持つものなどが挙げられるが、本実施形態では、周方向溝である主溝のみを備えたものをトレッドパターン形状の初期レイアウトとする。従って、本実施形態では、トレッドパターンの幅、１ピッチ単位の長さ、主溝のタイヤ幅方向における位置、及び主溝の幅によって、初期レイアウトが定まる。
【００１６】
次のステップＳ１２では、上記初期レイアウトのトレッドパターンを持つタイヤ有限要素モデル（以下、タイヤＦＥＭモデル、又は単にタイヤモデルという。）を初期モデルとして作成する。タイヤモデルはタイヤを内部構造を含めてメッシュ状に要素分割してなるものであり、タイヤ性能を評価するための上記物理量を構造解析により数値的、解析的に求めることができるようにタイヤをモデル化したものである。ここでは、図２に示すように、トレッド１の表面に主溝２のみを備えたトレッドパターンからなるタイヤＦＥＭモデルが作成される。
【００１７】
かかるタイヤモデルの作成に際しては、初期レイアウトの１ピッチ単位をタイヤ周方向に複数ピッチ展開したタイヤについてタイヤ一周分でのＦＥＭモデルを作成する。この例では、初期レイアウトは主溝のみを備えたトレッドパターンであるため、図２に示す二次元のＦＥＭモデルをタイヤ全周に単にスイープさせればよい。但し、図２は半断面であるため、全幅分のものをスイープさせる。また、このときの周方向展開は等間隔、不等間隔など目的に応じてなされる。上記スイープにより、初期レイアウトを複数ピッチ展開したタイヤモデルが三次元ＦＥＭモデルとして作成される。
【００１８】
次のステップＳ１４では、上記タイヤモデルを用い、トレッドパターン形状を固定しながら、上記目的関数を最適化するタイヤ構造の最適解を求める最適化計算を実施する。かかる最適化計算としては、実験計画法、遺伝アルゴリズムを用いた手法、数理計画法など、公知の種々の最適化手法を適用することができ、本実施形態では数理計画法によるタイヤ構造の最適化の例について説明する。
【００１９】
数理計画法による最適化計算では、図３に示すように、まず、ステップＳ３０において、上記タイヤモデルを用いて構造解析を実施することで、タイヤ構造に関する設計変数の初期値における目的関数の初期値を演算する。構造解析は、タイヤモデルに対し、タイヤ内圧、荷重、路面との摩擦係数等の解析条件を付与して、演算することにより行われ、例えばＡＢＡＱＵＳ  Ｉｎｃ．社製の「ＡＢＡＱＵＳ」などの市販のＦＥＭ解析ソフトウェアを利用して行うことができる。
【００２０】
次いで、ステップＳ３２において、感度解析を行う。感度解析は、各設計変数を各々予め定められた所定量だけ少しずつ変化させ、最も勾配が急な方向を見つけることであり、一般に感度は下記式（１）で定義される。
【００２１】
感度＝（ｆ(xi＋Δxi)−ｆ(xi)）/Δxi  …（１）
但し、xi：i番目の設計変数、
Δxi：i番目の設計変数の変化量、
ｆ(xi)：設計変数xiでの目的関数、
ｆ(xi＋Δxi)：設計変数xi＋Δxiでの目的関数。
【００２２】
詳細には、個々の設計変数xiをΔxiだけ変化させて、変化後の目的関数の値を演算し、上記式（１）に従って設計変数の単位変化量に対する目的関数の変化量の割合である目的関数の感度を各設計変数毎に演算して、感度の勾配が最も急な方向を見つける。
【００２３】
その後、ステップＳ３４において、上記感度に基づいて、設計変数の許容範囲などの制約条件を考慮しながら、一次元探索により、上記した勾配が急な方向に設計変数をどれだけ変化させたらよいかを求めて、目的関数を最適化（最小化）し得る設計変数の解を求めるとともに、この設計変数の解から目的関数の値を演算する。
【００２４】
そして、ステップＳ３６において、ステップＳ３０で求めた目的関数の初期値と、ステップＳ３４で求めた目的関数の値とを対比して、両者の差と所定のしきい値とを比較することで目的関数の値が収束したか否かを判断する。収束していないと判断した場合には、初期値を更新してステップＳ３２に戻り、収束するまでステップＳ３２〜Ｓ３６を繰り返し実行する。そして、目的関数の値が収束すれば、ステップＳ３８においてこのときの設計変数の値を、目的関数に対してタイヤ構造の最適値を与える最適解として決定する。
【００２５】
次に、ステップＳ１６において、上記で最適化されたタイヤ構造を持つトレッドパターン付のタイヤモデルを作成した後、ステップＳ１８において、上記ステップＳ１４で得られた最適解に基づいて収束判定を実施する。収束判定は、例えば、タイヤ構造についての最適化計算のステップＳ１４の前後で、最適解である設計変数の値が変わらないかどうかで判定し、ステップＳ１４前の設計変数の初期値とステップＳ１４後の設計変数の最適解との差が所定のしきい値以上である場合には収束していないと判断してステップＳ２０に進み、所定のしきい値未満である場合には収束したと判断してステップＳ２６に進む。通常は、一回目の最適化計算では収束せずに、ステップＳ２０に進む。なお、収束判定は、最適解に基づいて行うものであれば、上記のように設計変数で判定する代わりに、最適解から算出される目的関数の値がステップＳ１４の前後で変わらないかどうかで判定してもよい。
【００２６】
ステップＳ２０では、上記ステップＳ１４で最適化されたタイヤ構造を持つタイヤモデルを用いて、該タイヤ構造を固定しながら、上記目的関数を最適化するトレッドパターン形状の最適解を求める最適化計算を実施する。本実施形態では、トレッドパターン形状の最適化計算をＥＣＡＴ（Evolutional Clustering Algorithm for Topological optimization）法を用いて実施する。
【００２７】
ＥＣＡＴ法は、有限要素法を利用したレイアウトの最適化手法であり、片持ち梁などの機械構造物のレイアウト最適化問題として、例えば、長谷川浩司、川面恵司「ＧＡ利用による機械構造物の位相最適化法の一方法（有限要素の除去および付加パラメータを染色体とする位相最適化法）」、日本機械学会論文集（Ａ編）、６１巻５８１号（１９９５−１）、ｐ１８３−ｐ１９０（以下、参考文献という。）；  鶴田靖、長谷川浩司、川面恵司「ＧＡ利用による機械構造物の位相最適化法の一方法（第２報、有限要素の除去および付加パラメータを染色体とする方法の収束性の検討）」、日本機械学会論文集（Ａ編）、６３巻６０５号（１９９７−１）、ｐ１７０−ｐ１７７；  鈴木雄作、長谷川浩司、川面恵司「ＧＡ利用による機械構造物の位相最適化法の一方法（第３報、有限要素の除去および付加パラメータを用いた単一個体による確定的方法）」、日本機械学会論文集（Ａ編）、６４巻６２６号（１９９８−１０）、ｐ４９−ｐ５４、などに紹介されている。
【００２８】
本実施形態では、かかるＥＣＡＴ法をタイヤトレッドパターン形状の最適化問題に適用する。すなわち、レイアウトであるトレッドパターン形状を１つの個体と考え、トレッドパターン形状の有限要素モデルについて算出した評価指標の大小によって要素をクラス分けし、レイアウト内における評価指標の分布を大域的に捉え、要素の除去及び付加（復活）する行為としてのふるまいを進化させることにより、最終的なレイアウトを決定する。
【００２９】
詳細には、図４に示すように、ステップＳ４０において、トレッドパターン形状の初期レイアウトの１ピッチ単位をタイヤ周方向に複数ピッチ展開したタイヤについてのタイヤモデルを作成する。ここでは、上記ステップＳ１６において作成したタイヤ構造を最適化したタイヤモデルがそのまま用いられる。
【００３０】
次のステップＳ４２において、上記で得られた初期レイアウトのタイヤモデルを用いて構造解析を実施して、タイヤトレッドパターンにおける接地面の各要素について、評価指標を算出する。評価指標とは、接地面の各要素について算出される物理量であって、タイヤ性能としての上記目的関数を算出する際の基礎となる物理量である。評価指標としては、例えば、応力、ひずみ、ひずみエネルギー、接地圧力、接地圧分散、摩擦エネルギー、路面のすべり速度および変位などが挙げられる。
【００３１】
次のステップＳ４４では、上記で算出した評価指標を対応する要素毎に１ピッチ単位に集約し、集約した評価指数の大小によってこれらの要素をクラス分けする。
【００３２】
評価指数を１ピッチ単位に集約する方法について、図５，６に基づき説明する。図５に示すように、５ピッチ分周期的に配置した場合において、各ピッチの対応する要素の評価指数の関数は次のように表される。
【００３３】
・第１ピッチ：Ｆ（ｉ，ｊ，１）
・第２ピッチ：Ｆ（ｉ，ｊ，２）
・第３ピッチ：Ｆ（ｉ，ｊ，３）
・第４ピッチ：Ｆ（ｉ，ｊ，４）
・第５ピッチ：Ｆ（ｉ，ｊ，５）
そのため、これらの評価指数を、図６に示すように１ピッチ単位に集約した場合、該１ピッチ単位のレイアウトにおける任意の要素の評価指数、即ち集約した評価指数の関数Ａ（ｉ，ｊ）は、下記式（２）により表される。
【数１】
2008302827.tif 000003
【００３４】
なお、１ピッチ単位に集約する場合、このように平均値を求めてもよく、あるいはまた単に合計値を求めてもよい。
【００３５】
このようにして集約した評価指数に基づいて１ピッチ単位のレイアウトに含まれる要素をクラス分けする。詳細には、評価指数の大きさを複数のレベルに分割してクラス分けする。例えば、評価指数の最小値と最大値の間を１０等分して１０個のレベルを設定し、全ての要素をそれぞれ対応するレベルに割り付けることで、１０クラスに分類する。なお、クラスの設定は、このように等間隔でもよく、また不等間隔でもよい。
【００３６】
次のステップＳ４６では、除去対象要素の属するクラスを決定する。かかる除去対象クラスの決定は、各クラスの評価指数の大きさのレベルに従ってなされる。
【００３７】
すなわち、評価指数が接地圧分散（即ち、平均接地圧に対する該要素の接地圧の差の二乗）である場合のように、評価指数が大きいものを除去対象とする場合、評価指数の大きい側の複数のクラスを除去対象クラスとして決定する。逆に、評価指数が小さいものを除去対象とする場合（例えば、トレッド部の撓みを大きくするパターンを設計したい場合、各要素の変位において変位の小さい要素を除去する。）、評価指数の小さい側の複数のクラスを除去対象クラスとして決定する。詳細には、次式（３）に基づいて除去対象クラスを決定することができる。
【００３８】
Ｎｃβ＝βＮｃμ    …（３）
式中、Ｎｃβは、除去対象要素の属するクラス番号の上限、Ｎｃμは、評価指標の平均値を持つ要素の属するクラス番号、βは除去係数である。式（３）で求められたＮｃβ以下のクラス番号に属する要素を除去対象とする。ここで、クラス番号は、評価指標が大きいものを除去対象とする場合、評価指標が大きいものから順番に小さなクラス番号を割り当て、評価指標が小さいものを除去対象とする場合、評価指標が小さいものから順番に小さなクラス番号を割り当てる。除去係数βは、予め定められた値を用いてもよく、あるいはまた、上記参考文献に記載されているように、α−カット値及び付加係数γとともに、これらのパラメータを遺伝子として染色体にコーディングする遺伝的アルゴリズムなどの最適化計算により求めてもよい。ここで、付加係数γは、上記参考文献に記載されているように、下記式（４）により定義される係数である。
【００３９】
Ｎｐγ＝γＮｐｓ    …（４）
式中、Ｎｐγは付加する要素数、Ｎｐｓは累積除去要素数である。後記のステップＳ５０〜Ｓ５４でボイド比に基づいて復活する要素を決定する代わりに、除去した要素を除去した順番にその除去履歴を記憶しておき、式（４）で求められたＮｐγ以降の順番の要素を全て復活するようにしてもよい。
【００４０】
次のステップＳ４８では、上記ステップＳ４６で決定した各除去対象クラスの中から除去する要素を選定し、選定した要素をレイアウトから除去する。除去要素は、除去対象クラスからあいまいに摘出されることが好ましい。あいまいに摘出するためには、上記参考文献に記載されているように、ファジイｃ−ｍｅａｎｓ法を用いてメンバーシップ関数を作成し、ファジイ分割を行う。該メンバーシップ関数は、除去対象クラス中の要素を、α−カット値により除去対象要素と非除去対象要素に分けるものであり、α−カット値αを求めることで除去要素が選定される。
【００４１】
このように、本ＥＣＡＴ法では、除去対象クラスとして複数のクラスを決定し、各除去対象クラスの中からファジイ分割により除去要素を選定することにしている。そのため、評価指数が大きいものを除去対象とする場合に、単に評価指数の大きい側のクラスからそのクラス全体の要素を除去する場合に比べて、局所的解に陥ることを回避してよりよい最適解を得ることができる。
【００４２】
このようにして要素を除去した後、トレッドパターンのボイド比についての制約条件に基づいて除去した要素の中から復活（即ち、付加）する要素を決定する。詳細には、まず、ステップＳ５０において、要素を除去した後のレイアウトのボイド比を計算する。ここで、ボイド比とは、トレッドパターンの１ピッチ単位の全面積に対する溝部（非接地部）の面積の比であり、通常、０．２５〜０．４５の範囲内で制約条件としてのボイド比の上限が定められる。
【００４３】
次いで、ステップＳ５２において、計算により得られたボイド比が上記制約条件を満たすかどうか判定する。そして、制約条件を満たさない場合、即ち算出されたボイド比が予め定められたボイド比の上限を超える場合、ステップＳ５４において、不足分の要素を補うように、除去した要素を復活する。すなわち、ステップＳ４８で選定した除去要素の中から、ボイド比の制約条件を満足するように必要数の要素を復活させる。ステップＳ４８で除去された要素については評価指標が記憶されているので、レイアウトに残る可能性の高い要素から順番に、すなわち、評価指標が大きいものを除去対象とする場合、評価指標の小さい要素から、また、評価指標が小さいものを除去対象とする場合、評価指標の大きい要素から、復活させる。
【００４４】
ステップＳ５２において制約条件を満たす場合、ステップＳ５６に進み、上記ステップで要素を除去及び復活することにより得られた現世代のレイアウトを確定する。
【００４５】
そして、ステップＳ５８において、現世代のレイアウトのタイヤモデルを作成する。その際、現世代のレイアウトの１ピッチ単位をタイヤ周方向に複数ピッチ展開したタイヤについてタイヤ全周でのＦＥＭモデルを作成する。ここで、現世代のレイアウトの１ピッチ単位の意匠をピッチ展開する方法について、図７，８に基づき説明する。
【００４６】
図７は、トレッドの全幅についてのタイヤトレッドパターンの１ピッチ単位の意匠を示したものであり、符号２が主溝、符号３が横溝、符号４の黒塗りの部分が陸部、をそれぞれ示す。また、Ｘがタイヤ周方向、Ｙがタイヤ幅方向である。この１ピッチ単位の意匠を、図８に示すように、タイヤ周方向Ｘに所定ピッチの数だけ周期的に配置する。図８の例では、第１ピッチから第５ピッチまでの５ピッチ分周期的に配置している。
【００４７】
次いで、ステップＳ６０において、得られた現世代のレイアウトのＦＥＭモデルを用い、上記ステップＳ４２と同様に、構造解析を実施し、タイヤトレッドパターンにおける接地面の各要素について、評価指標を算出する。
【００４８】
そして、ステップＳ６２で、目的関数の収束性を判定する。目的関数は上記構造解析により求めた評価指標から算出され、例えば、目的関数がタイヤの接地圧分散である場合、評価指標である各要素の接地圧分散から算出される。収束性の判定は、例えば、１つ前の世代のレイアウトでの目的関数の値と、現世代のレイアウトでの目的関数との差が、所定値よりも小さいかどうかで行う。
【００４９】
かかる判定により目的関数が収束していないと判定したときには、レイアウトを現世代のレイアウトに更新して、ステップＳ４４に戻る。すなわち、現世代のレイアウトを初期値として、次のステップＳ４４にて要素のクラス分けを行い、ステップＳ４６以下に進み、目的関数が収束するまで、ステップＳ４４〜Ｓ６２を繰り返す。そして、ステップＳ６２において目的関数が収束したと判定したときには、そのときの現世代のレイアウトをトレッドパターン形状の最適解に決定する（ステップＳ６４）。
【００５０】
次に、ステップＳ２２において、上記で最適化されたトレッドパターン形状のタイヤモデルを作成した後、ステップＳ２４において、上記ステップＳ２０で得られた最適解に基づいて収束判定を実施する。収束判定は、例えば、ステップＳ２０により得られた最適解が、ステップＳ２０の最適化前での初期レイアウトと変わらないかどうかで判定し、ステップＳ２０前の初期レイアウトとステップＳ２０後の最適化されたレイアウトとの違いが所定のしきい値以上である場合には、収束していないと判断してステップＳ１４に戻る。一方、所定のしきい値未満である場合には収束したと判断してステップＳ２６に進む。なお、収束判定は、最適解に基づいて行うものであれば、上記のようにレイアウトの違いで判定する代わりに、最適解から算出される目的関数の値がステップＳ２０の前後で変わらないかどうかで判定してもよい。
【００５１】
上記のようにしてステップＳ１４に戻ると、上記ステップＳ２２で作成した最適化されたトレッドパターン形状を持つタイヤモデルを用いて、トレッドパターン形状を固定したまま、タイヤ構造についての最適化計算を、上記と同様に実施する。
【００５２】
このようにして、ステップＳ１８又はステップＳ２４で収束したと判定するまで、ステップＳ１４〜Ｓ２４までを繰り返す。そして、収束した判定したときには、ステップＳ２６において、そのときのタイヤ構造とトレッドパターン形状のレイアウトを最適解に決定して、該最適解に基づいて、タイヤ構造とトレッドパターン形状を決定する。
【００５３】
このようにしてタイヤ構造とトレッドパターン形状を設計したタイヤは、常法に従い、加硫成形することで、実際の空気入りタイヤとして製造することができ、これにより、上記目的関数に係るタイヤ性能が改善された空気入りタイヤが得られる。
【００５４】
本実施形態によれば、タイヤ構造の最適化では直前に最適化されたトレッドパターン形状を持つタイヤモデルを用いて最適化計算を行い、トレッドパターン形状の最適化では直前に最適化されたタイヤ構造を持つタイヤモデルを用いて最適化計算を行い、これらの最適化計算で得られた最適解に基づいて収束判定し、収束するまで両者の最適化計算を繰り返す。このようにタイヤ構造の最適化とトレッドパターン形状の最適化を弱連成させて行うので、計算コストを抑えながら、タイヤ全体としての最適な設計諸元を効率的に得ることができる。
【００５５】
また、本実施形態によれば、トレッドパターン形状の最適化にＥＣＡＴ法を用いており、評価指標の分布を大域的に捉えて最適化を行うため、局所的解に陥ることなく、大域的な最適解が得られる。また、従来の遺伝的アルゴリズムを用いる場合と比較して、計算負荷が小さく、そのため、トレッドパターンの意匠を効率的に設計することができる。
【００５６】
また、本実施形態によれば、ＦＥＭモデルを用いた構造解析及び目的関数の収束性判定では、レイアウトの１ピッチ単位をタイヤ周方向に複数ピッチ展開したものを用いる一方、要素の除去及び復活のプロセスでは、これらを１ピッチ単位に集約した値を用いている。タイヤトレッドパターンは、一般に、１ピッチ単位の意匠を周方向に周期的に配置することで、トレッド意匠を構成する。そのため、複数ピッチ分の評価指標及び目的関数を用いて評価することで、より実情に即した最適化を行うことができる。また、要素の除去及び復活のプロセスでは、１ピッチ単位に集約した値を用いるので、ピッチ間で異なる意匠に設計される不具合を回避することができる。
【００５７】
（第１の実施形態の変更例）
図９は、上記第１の実施形態において、トレッドパターン形状の最適化計算の変更例に係るフローチャートを示したものである。変更例では、初期レイアウトのトレッドパターンが周方向溝とともに横溝を備えている。トレッドパターンの意匠を設計する場合、ある程度、意匠としての設計制約が課せられる場合がある。例えば、図１０に示すように、トレッドパターンとして、主溝２と横溝３を持つ意匠の大まかな設計が指定されている場合があり、その場合、この指定されたトレッドパターンを初期レイアウトとして最適化を実施する。
【００５８】
本変更例では、上記の指定されたトレッドパターンを初期レイアウトとして、該初期レイアウトを持つタイヤモデルを構造解析するために、当該タイヤモデルを、主溝のみを持つタイヤのＦＥＭモデルから自動生成させる。詳細には、次のステップにより実現する。
【００５９】
ステップＳ７０において、初期レイアウトのトレッドパターンに関するインプットデータを作成する。詳細には、上記の指定されたトレッドパターンを表す各図形の座標データを作成し、入力する。
【００６０】
そして、ステップＳ７２において、主溝のみを持つタイヤモデルから上記の指定された初期レイアウトのトレッドパターンを持つタイヤモデルを作成するために、上記インプットデータを用いてマッピングアルゴリズムを実施する。マッピングアルゴリズムは、トレッドパターンの１ピッチ単位の意匠について実施する。
【００６１】
マッピングアルゴリズムによるプロセスについて説明する。図１１は、初期レイアウトの意匠の一つである閉図形（ｍ角形）Ｐ１−Ｐ２−…−Ｐｉ−Ｐｉ＋１−…−Ｐｍと、ＦＥＭモデルの関係を示したものであり、点線が有限要素を示している。ここでまず、有限要素Ａを構成する節点のひとつＮ１について考える。初めに、Ｎ１ＰｉベクトルとＮ１Ｐｉ＋１ベクトルの外積を求め、外積のｚ成分の正負を調べる。同時に、Ｎ１ＰｉベクトルとＮ１Ｐｉ＋１べクトルのなす角θｉ（＜１８０°）を求める。これをｉ＝１，…，ｍについて行う。
【数２】
2008302827.tif 000004
【００６２】
次に、上記式（５）を計算し、｜θtotal｜＞１８０°のときＮ１が閉図形の中にあると判定し、｜θtotal｜≦１８０°のとき、Ｎ１が閉図形の外にあると判定する。このような関係の確認を節点Ｎ２，Ｎ３，Ｎ４についても同様に行い、１つの要素を構成する全節点が全て閉図形の内部にあるときに限りその要素は閉図形に属していると判定する。
【００６３】
このようにして、トレッドパターンの１ピッチ単位分の全ての有限要素について初期レイアウトの意匠との関係を求めて１ピッチ単位のトレッドパターンのＦＥＭモデルを作成し、これを所定ピッチの分だけ周方向に配置することで、上記の指定されたトレッドパターンからなる初期レイアウトのタイヤモデルが作成される（ステップＳ７４）。その後は、上記第１の実施形態と同様、ステップＳ４２以下の各ステップを実施することにより、トレッドパターン形状の最適化計算を実施することができる。
【００６４】
本変更例によれば、トレッドパターンに意匠としての設計制約が課せられる場合でも、初期レイアウトとして定義したい意匠に解析モデルを自動生成させることができる。そのため、設計制約が課されている場合にも、効率的にトレッドパターン形状を設計することができる。
【００６５】
（実施例１）
上記第１の実施形態についての具体的な実施例１を説明する。実施例１では、タイヤサイズを２２５／４５Ｒ１７とし、構造解析における条件を、空気圧：２２０ｋＰａ、使用リム：１７×７．５ＪＪ、荷重：５７８２Ｎとした。目的関数は、タイヤの接地圧分散とし、該接地圧分散を最小化する最適化問題を定義した。
【００６６】
タイヤ構造については、タイヤ断面の外形形状（モールド形状）を最適化することとし、図１２に示す以下のものを設計変数とした。 
・Ｒ１＝タイヤ中心線上に中心を持ち、点Ａを通る円弧の半径（初期値＝１０００ｍｍ、制約範囲＝８００〜２０００ｍｍ）、
・Ｒ２＝タイヤ中心線上のある点と点Ｂを両端に持つ長さＲ１の線分上に中心を持ち、点Ｂを通る円弧の半径（初期値＝３５０ｍｍ、制約範囲＝２５０〜４５０ｍｍ）、
・θ１＝タイヤ中心線を基準にして、円弧Ｒ１の中心点から伸ばした直線との挟角（初期値＝１．８°、制約範囲＝１．４°〜２．３°）
・θ２＝円弧Ｒ２の中心点と点Ｂを結ぶ点を基準として、円弧Ｒ２の中心点から伸ばした直線との挟角（初期値＝４．７°、制約範囲＝３°〜６．３°）。
【００６７】
トレッドパターン形状の最適化計算における評価指標は各要素の接地圧分散とした。また、トレッドパターン形状の初期レイアウトは、図１３（ａ）に示す主溝のみのトレッドパターンとし（但し、同図は周方向に５ピッチ分展開した接地形状を示す。）、構造解析ではこれを周方向に５ピッチ分展開した。要素のクラス分けは２０クラスとし、除去係数β＝１．３、α−カット値α＝０．９６とした。また、ボイド比の上限は０．３５とした。
【００６８】
その結果、タイヤ構造の最適解は、Ｒ１＝９５０ｍｍ、Ｒ２＝３１０ｍｍ、θ１＝１．７°、θ２＝４．２°であった。また、トレッドパターンの最適解（最終レイアウト）は、図１３（ｂ）に示す通りであった（但し、同図は周方向に５ピッチ分展開した接地形状を示す。）。
【００６９】
比較のために、比較例１として、従来の設計→構造解析→再設計の繰り返しによる試行錯誤による設計方法を実施した。また、比較例２として、タイヤ構造は最適化せずに、トレッドパターン形状のみについて、ＥＣＡＴ法を用いた最適化計算を実施した。更に、比較例３として、トレッドパターン形状は最適化せずに、タイヤ構造のみについて、数理計画法を用いた最適化計算を実施した。
【００７０】
実施例１及び比較例１〜３について、最適化に要した計算コストを下記表１に示すとともに、コントロールタイヤとしての従来タイヤに対する目的関数（接地圧分散）の改良効果を下記表１に示した。
【００７１】
目的関数の改良効果については、構造解析による解析値と、実際にタイヤを作製して計測したときの実測値について、従来タイヤ（従来品）の接地圧分散の解析値と実測値をそれぞれ１００とした指数で表示した。また、計算コストについては、比較例１で要した計算時間を１００とした指数で表示した。数値が小さいほど計算時間が短く、計算コストに優れることを意味する。
【表１】
2008302827.tif 000005
【００７２】
表１に示すように、実施例１の場合、従来タイヤや比較例１に比べて接地圧分散が大幅に向上しており、また、比較例１に対して計算時間が大幅に短縮された。また、タイヤ構造とトレッドパターン形状のいずれか一方のみを最適化する比較例２，３に対しても接地圧分散が改良されていた。
【００７３】
（第２の実施形態）
図１４は、第２の実施形態に係る設計方法におけるタイヤトレッドパターン形状の最適化計算の流れを示すフローチャートである。本実施形態は、タイヤ構造の最適化と、基底ベクトル法によるトレッドパターン形状の最適化を弱連成させて行うものであり、トレッドパターン形状の最適化計算以外については、上記第１の実施形態と同様である。
【００７４】
すなわち、本実施形態では、図１に示すフローチャートのステップＳ２０においてトレッドパターン形状の最適化計算を行う際に、基底ベクトル法を用いてトレッドパターン形状の最適化計算を実施する。
【００７５】
基底ベクトル法を用いた最適化計算では、まず、ステップＳ１００において、トレッドパターンの初期形状であるオリジナル形状のモデルに基づき、複数のベース形状のモデルを作成する。
【００７６】
図１５（ａ）にオリジナル形状のトレッドパターンを持つタイヤモデルの一例を示し、図１６（ａ）にトレッドパターンの１ピッチ単位の意匠についてのオリジナル形状のモデルを示す。この例では、トレッドパターンは、周方向に延びる４本の主溝２を持ち、幅方向中央のセンター領域にタイヤ周方向に連続して延びるセンターリブ５を備えるとともに、幅方向両端のショルダー領域と、ショルダー領域とセンター領域の間に挟まれたメディエート領域と、に横溝３によって区画されたブロック列６，７をそれぞれ備えている。
【００７７】
かかるオリジナル形状のＦＥＭモデルに基づいて、複数のベース形状のＦＥＭモデルを作成する。ベース形状とは、オリジナル形状と節点数および要素結合情報が同一であり、かつ節点座標値の異なるトレッドパターン形状である。ここで、節点数とは、ＦＥＭモデルを構成するメッシュの交点の総数である。要素結合情報とは、ＦＥＭモデルを構成する各要素について、どの節点がどういう順で含まれているかという情報である。節点座標値とは、基準となる原点に対する各節点の位置を示す座標値である。
【００７８】
ベース形状のＦＥＭモデルは、オリジナル形状のＦＥＭモデルにおいて、節点数と要素結合情報を維持したまま、節点座標値を変化させて、オリジナル形状とは異なる形状を持つように作成される。節点座標値を変化させる方法としては、オペレータがオリジナル形状のＦＥＭモデルの画像を確認しながらマウスなどの入力手段を介して節点座標値を変化させるようにしてもよく、あるいはまた、所定の規則に従って、コンピュータが自動的に節点座標値を変化させるようにしてもよい。作成するベース形状の個数は、特に限定されないが、計算コストを考慮すると、通常１０個以下であることが好ましい。該個数は、コンピュータからの要求信号に基づいて、オペレータが入力するようにしてもよい。
【００７９】
例として、図１６（ｂ）〜（ｄ）は、図１６（ａ）に示すオリジナル形状のモデルから作成した３個のベース形状のモデル、即ち（ｂ）ベース形状１、（ｃ）ベース形状２および（ｄ）ベース形状３のＦＥＭモデルを示したものである。
【００８０】
次のステップＳ１０２では、最適化用ＦＥＭモデルを作成するとともに、設計変数を設定する。詳細には、上記で作成した各ＦＥＭモデルの各節点座標値をベクトルの成分とみなし、そのベクトルの線形結合で新たなベクトルを作り、その新たなベクトルの成分である各節点座標値で最適化用ＦＥＭモデルを構成する。
【００８１】
すなわち、この例では、上記オリジナル形状の節点座標値を成分とするベクトルと上記ベース形状の節点座標値を成分とするベクトルとの差をベーシスベクトルとして、各ベーシスベクトルの線形結合により最適化用モデルの各節点座標値を成分とするベクトルを定義する。この最適化用モデルのベクトルは、下記式（６）により表される。
【数３】
2008302827.tif 000006
【００８２】
そして、上記αｉで表される線形結合の重み係数を、後述する最適化計算における設計変数として定義する。その際、各重み係数に制約範囲を定める。
【００８３】
次いで、上記式（６）を用いて最適化計算を実施する。すなわち、式（６）で表される最適化用モデルのベクトルとベーシスベクトルとの関係式に基づいて、上記目的関数を最適化する設計変数の値を求める。かかる最適化計算としては、実験計画法、遺伝アルゴリズムを用いた手法、数理計画法など、公知の種々の最適化手法を適用することができ、本実施形態では実験計画法による最適化計算の例について説明する。
【００８４】
まず、ステップＳ１０４において、実験計画法に基づいた実験計画の割付条件により、複数の実験計画モデルを作成する。詳細には、まず、実験計画法に基づく直交表の各列に各設計変数を割り付ける。直交表としては、本実施形態の場合、設計変数が３個であるため、Ｌ２７の３水準直交表を用いる。設計変数α１，α２，α３を制約範囲の下限値、中間値、上限値の３水準に変化させて、直交表に割り付ける。そして、各割付条件に従って上記設計変数の値を変えて、上記式（６）により、直交表の行数個、ここでは２７個の最適化用ＦＥＭモデルを、実験計画モデルとして作成する。
【００８５】
次いで、ステップＳ１０６において、上記で得られた各実験計画モデルの目的関数を、ＦＥＭ解析により求める。すなわち、各最適化用ＦＥＭモデルに解析条件を付与した構造解析を行うことにより、それぞれの目的関数を求める。
【００８６】
かかる構造解析において、解析が収束せずに目的関数が算出されない場合がある。これは、上記実験計画法に基づいて最適化用ＦＥＭモデルを作成したときに、該モデルにおける一部の要素が大きく歪んだ形状になることに起因することが多い。そこで、ある最適化用ＦＥＭモデルについて目的関数が算出されないときには（ステップＳ１０８：Ｎｏ）、上記の歪んだ要素について、メッシュを切り直し、即ちメッシュ状の要素分割により要素を再構成し（ステップＳ１１０）、その後、この再構成した最適化用ＦＥＭモデルを用いて構造解析を実施して、目的関数を算出する（ステップＳ１０６）。これにより、目的関数が算出されないという不具合を解消することができる。また、この切り直しは、上記特定のＦＥＭモデルについて、要素が歪んだ特定の部位のみに適用するだけでよいので、計算コストの増大を抑えることができる。
【００８７】
このようにして２７個の最適化用ＦＥＭモデルの全てについて目的関数を算出するまで構造解析を繰り返し（ステップＳ１０８：Ｙｅｓ、ステップＳ１１２：Ｎｏ）、全てのＦＥＭモデルについて目的関数を求めたら（ステップＳ１１２：Ｙｅｓ）、次のステップに移行する。
【００８８】
次のステップＳ１１４では、上記で求めた目的関数と設計変数との関係から、目的関数を設計変数による近似関数で表す。すなわち、回帰分析等の手法によって多項式近似することにより、目的関数を設計変数の近似関数（応答曲線）に変換する。
【００８９】
その後、ステップＳ１１６において、上記近似関数から目的関数を最適化する設計変数を求める。例えば、目的関数をブロックの接地圧分散として、該接地圧分散を最小化したい場合には、接地圧分散が最小となるように近似関数に含まれる設計変数を変化させて、トレッドパターン形状の最適解を求める（ステップＳ１１８）。
【００９０】
その他の構成は第１の実施形態と同じであり、説明は省略する。
【００９１】
第２の実施形態でも、タイヤ構造の最適化とトレッドパターン形状の最適化を弱連成させて行うので、第１の実施形態と同様に、計算コストを抑えながら、タイヤ全体としての最適な設計諸元を効率的に得ることができる。
【００９２】
また、第２の実施形態では、トレッドパターン形状の最適化において、最適化計算の対象とする最適化用モデルを、基底ベクトル法を用いて生成しており、トレッドパターン形状を規定する設計変数の与え方が、従来の最適化手法とは明らかに異なっている。すなわち、従来のトレッドパターン形状の最適化手法では、ブロックの各辺の長さや形状などのようにトレッドパターン形状を直接決定する要素を設計変数としている。そのため、この方法では、直線やｓｉｎ曲線のような定型的なパラメータで定義できる形状に、トレッドパターン形状が限定される。それ故、この方法では、最適解探索範囲は限定されるし、また、設計変数が変わるごとに有限要素を形成するメッシュを作り直す必要があるという問題がある。これに対し、上記基底ベクトル法を用いて、各ベーシスベクトルの重み係数を設計変数として生成するので、定型的なパラメータで定義することが困難である複雑な形状を持つトレッドパターン形状を容易に作り出すことができる。そのため、最適解の探索範囲を広くとることができ、タイヤ性能の更なる向上を図ることができる。また、設計変数が変わるごとに、モデルのメッシュを切り直す必要もあまりなく、設計工数の削減を図ることができる。
【００９３】
なお、本実施形態では、トレッドパターンの１ピッチ単位の意匠を最適化する場合について説明したが、トレッドパターンにおける１つのブロック形状を最適化する場合に適用することもできる。
【００９４】
（実施例２）
上記第２の実施形態についての具体的な実施例２を説明する。実施例２では、タイヤサイズを２０５／６５Ｒ１５とし、構造解析における条件を、空気圧：２００ｋＰａ、使用リム：１５×６ＪＪ、荷重：４５０Ｎとした。目的関数は、タイヤの接地圧分散とし、該接地圧分散を最小化する最適化問題を定義した。
【００９５】
タイヤ構造については、タイヤ断面の外形形状（モールド形状）を最適化することとし、図１２に示す以下のものを設計変数とした。 
・Ｒ１＝タイヤ中心線上に中心を持ち、点Ａを通る円弧の半径（初期値＝１０００ｍｍ、制約範囲＝７００〜１３００ｍｍ）、
・Ｒ２＝タイヤ中心線上のある点と点Ｂを両端に持つ長さＲ１の線分上に中心を持ち、点Ｂを通る円弧の半径（初期値＝２００ｍｍ、制約範囲＝１００〜３００ｍｍ）、
・ＴＷ１＝点Ａから２つの円弧の接合点までの幅方向の距離（初期値＝３８ｍｍ、制約範囲＝２８〜４８ｍｍ）。
【００９６】
トレッドパターン形状については、図１６（ａ）に示すオリジナル形状に基づいて、図１６（ｂ）〜（ｄ）のベース形状１〜３を作成し、制約範囲は、ベース形状１についての重み係数α１＝−１〜１、ベース形状２についての重み係数α２＝−１〜１、ベース形状３についての重み係数α３＝−１〜１とした。
【００９７】
解析の結果、タイヤ構造の最適解は、Ｒ１＝１２００ｍｍ、Ｒ２＝２５０ｍｍ、ＴＷ１＝３６ｍｍであった。また、トレッドパターンついて、各設計変数の最適解はα１＝１、α２＝−１、α３＝−１であり、最適化されたレイアウトは、図１５（ｂ）に示す通りであった。
【００９８】
比較のために、比較例４として、従来の設計→構造解析→再設計の繰り返しによる試行錯誤による設計方法を実施した。また、比較例５として、タイヤ構造は最適化せずに、トレッドパターン形状のみについて、基底ベクトル法を用いた最適化計算を実施した。更に、比較例６として、トレッドパターン形状は最適化せずに、タイヤ構造のみについて、数理計画法を用いた最適化計算を実施した。
【００９９】
実施例２及び比較例４〜６について、最適化に要した計算コストを、比較例４で要した計算時間を１００とした指数により、下記表２に示した。また、目的関数（接地圧分散）の改良効果について、解析値及び実測値を、従来タイヤ（従来品）の接地圧分散の解析値と実測値をそれぞれ１００とした指数で表示した。
【表２】
2008302827.tif 000007
【０１００】
表２に示すように、実施例２の場合、従来タイヤや比較例４に比べて接地圧分散が大幅に向上しており、また、比較例４に対して計算時間が大幅に短縮された。また、タイヤ構造とトレッドパターン形状のいずれか一方のみを最適化する比較例５，６に対しても接地圧分散が改良されていた。
【０１０１】
（第３の実施形態）
図１７は、第３の実施形態に係る空気入りタイヤの設計方法の流れを示すフローチャートである。本実施形態は、タイヤ構造の最適化と、トレッドパターン形状についての基底ベクトル法による形状最適化及びＥＣＡＴ法による形状及び位相最適化とを弱連成させて行うものである。
【０１０２】
すなわち、この実施形態では、第１の実施形態と同様にタイヤ構造の最適化を実施し（ステップＳ１０〜１６）、収束判定した後（ステップＳ１８）、ステップＳ１５０において、まず、タイヤ構造を固定しながら、基底ベクトル法を用いてトレッドパターン形状の最適化計算を実施する。具体的な最適化計算方法は、第２の実施形態と同様である。
【０１０３】
このようにして基底ベクトル法でのトレッドパターン形状の最適解を得た後（ステップＳ１５２）、ステップＳ１５４にて、タイヤ構造を固定しながら、ＥＣＡＴ法を用いてトレッドパターン形状の最適化計算を実施する。具体的な最適化計算方法は、第１の実施形態と同様である。但し、ステップＳ１５４での最適化計算では、ステップＳ１５２で得られた基底ベクトル法でのトレッドパターン形状の最適解を初期レイアウトとして最適化計算を実施する。そのため、図９に示す第１の実施形態の変更例のように、初期レイアウトパターンのインプットデータを作成し、マッピングアルゴリズムにより、基底ベクトル法でのトレッドパターン形状の最適解を初期レイアウトとして持つタイヤモデルを作成する（ステップＳ７０〜７４）。
【０１０４】
このようにしてトレッドパターン形状の最適解を求めた後は、第１の実施形態と同様にして、ステップＳ２２で上記で最適化されたトレッドパターン形状のタイヤモデルを作成した後、ステップＳ２４において上記ステップＳ１５４で得られた最適解に基づいて収束判定を実施する。
【０１０５】
その他の構成は第１の実施形態と同じであり、説明は省略する。
【０１０６】
本実施形態によれば、タイヤ構造の最適化と、基底ベクトル法によるトレッドパターン形状の最適化およびＥＣＡＴ法によるトレッドパターン形状及び位相の最適化を、弱連成されて行うので、タイヤ全体としてのより最適な設計諸元を効率的に得ることができ、タイヤ性能を一層向上することができる。
【０１０７】
なお、上記第３の実施形態では、トレッドパターン形状の最適化について、先に基底ベクトル法による最適化計算を実施し、その後、ＥＣＡＴ法による最適化計算を実施しているが、逆に、先にＥＣＡＴ法による最適化計算を実施してから、その後基底ベクトル法による最適化計算を実施してもよい。その場合には、後から実施する基底ベクトル法による最適化計算において、先に実施したＥＣＡＴ法による最適化計算において最適化されたトレッドパターン形状をオリジナル形状として最適化計算を実施する。
【０１０８】
また、上記第３の実施形態では、基底ベクトル法による最適化計算において、トレッドパターン形状の１ピッチ単位を最適化の対象としたが、トレッドパターン形状中のブロック形状のみを設計対象とすることもできる。
【０１０９】
また、ステップＳ１５０の基底ベクトル法による最適化計算と、ステップＳ１５４のＥＣＡＴ法による最適化計算との間に、ステップＳ２４と同様の収束判定を挿入して、タイヤ構造の最適化と、基底ベクトル法によるトレッドパターン形状の最適化と、ＥＣＡＴ法によるトレッドパターン形状の最適化とを、全て弱連成させるようにしてもよい。
【０１１０】
（実施例３）
上記第３の実施形態についての具体的な実施例３を説明する。実施例３におけるタイヤサイズ、構造解析における各条件、目的関数、並びに、タイヤ構造についての設計変数及びその制約範囲は、上記実施例１と同じである。
【０１１１】
また、トレッドパターン形状について、基底ベクトル法による最適化計算でのオリジナル形状は図１８（ａ）に示す通りであり、これに基づいて、図１８（ｂ）及び（ｃ）のベース形状１及び２を作成し、制約範囲は、ベース形状１についての重み係数α１＝−１〜１、ベース形状２についての重み係数α２＝−１〜１とした。
【０１１２】
また、ＥＣＡＴ法による最適化計算における評価指標は、各要素の接地圧分散とし、基底ベクトル法により得られた最適解を初期レイアウトとして、構造解析ではこれを周方向に５ピッチ分展開した。要素のクラス分けは２０クラスとし、除去係数β＝１．３、α−カット値α＝０．９６とした。また、ボイド比の上限は０．３５とした。
【０１１３】
解析の結果、タイヤ構造の最適解は、Ｒ１＝８２０ｍｍ、Ｒ２＝２５０ｍｍ、θ１＝１．５°、θ２＝５．２°であった。基底ベクトル法による最適化において、各設計変数の最適解はα１＝１、α２＝−１であり、最適化されたレイアウトは図１８（ｂ）に示す通りであった。更に、トレッドパターンの最適解（最終レイアウト）は、図１９に示す通りであった（但し、同図は周方向に５ピッチ分展開した接地形状を示す。）。
【０１１４】
最適化に要した計算コストは、上記比較例１で要した計算コストを１００として、実施例３では８５であり、設計時間の大幅な短縮が可能であった。また、目的関数の値は、上記従来品を１００として、実施例３では、解析値が８７で、実測値が８５であり、接地圧分散の改良効果に優れていた。
【０１１５】
（その他の実施形態）
上記実施形態では、先にタイヤ構造の最適化を実施してから、後にトレッドパターン形状の最適化を実施するようにしているが、これとは逆に、先にトレッドパターン形状の最適化を実施してから、その後にタイヤ構造の最適化を実施するようにしてもよい。
【産業上の利用可能性】
【０１１６】
本発明は、空気入りラジアルタイヤ等の各種タイヤの設計に効果的に利用することができる。
【図面の簡単な説明】
【０１１７】
【図１】第１の実施形態に係るタイヤ設計方法の流れを示すフローチャート。
【図２】タイヤのＦＥＭモデルの一例を示すタイヤの半断面図。
【図３】同実施形態におけるタイヤ構造の最適化計算の流れを示すフローチャート。
【図４】同実施形態におけるトレッドパターン形状の最適化計算において、ＥＣＡＴ法による最適化計算の流れを示すフローチャート。
【図５】５ピッチ展開した例において任意の要素の評価指標の関数を示す図。
【図６】任意の要素について１ピッチ単位に集約した評価指標の関数を示す図。
【図７】トレッドパターンの１ピッチ単位の意匠の一例を示す図。
【図８】１ピッチ単位の意匠を５ピッチ展開した例を示す図。
【図９】第１の実施形態の変更例において、トレッドパターン形状のＥＣＡＴ法による最適化計算の流れを示すフローチャート。
【図１０】同変更例におけるトレッドパターン形状の最適化において初期レイアウトを示す平面図。
【図１１】マッピングプロセスにおいてある有限要素が閉図形に属する例を示す図。
【図１２】実施例１のタイヤ構造の最適化における設計変数を示すタイヤモールドプロファイル図。
【図１３】（ａ）実施例１におけるトレッドパターン形状の初期レイアウトの図、（ｂ）実施例１にて最適化された最終レイアウトの図。
【図１４】第２の実施形態におけるトレッドパターン形状の最適化計算において、基底ベクトル法による最適化計算の流れを示すフローチャート。
【図１５】（ａ）実施例２における初期レイアウトのトレッドパターン形状を持つタイヤモデル、（ｂ）最適化後のレイアウトのトレッドパターン形状を持つタイヤモデル。
【図１６】実施例２におけるオリジナル形状とベース形状１〜３を示す平面図。
【図１７】第３の実施形態に係るタイヤ設計方法の流れを示すフローチャート。
【図１８】実施例３におけるオリジナル形状とベース形状１，２と最適化形状を示す平面図。
【図１９】実施例１にて最適化された最終レイアウトの図。
【符号の説明】
【０１１８】
１…トレッド、２…主溝、３…横溝、４…陸部、５…センターリブ、６，７…ブロック列
【図１】
2008302827.tif 000008
【図２】
2008302827.tif 000009
【図３】
2008302827.tif 000010
【図４】
2008302827.tif 000011
【図５】
2008302827.tif 000012
【図６】
2008302827.tif 000013
【図７】
2008302827.tif 000014
【図８】
2008302827.tif 000015
【図９】
2008302827.tif 000016
【図１０】
2008302827.tif 000017
【図１１】
2008302827.tif 000018
【図１２】
2008302827.tif 000019
【図１３】
2008302827.tif 000020
【図１４】
2008302827.tif 000021
【図１５】
2008302827.tif 000022
【図１７】
2008302827.tif 000023
【図１９】
2008302827.tif 000024
【図１６】
2008302827.tif 000025
【図１８】
2008302827.tif 000026